(57)【要約】      （修正有）【課題】シールを側面に貼った急須の中のお湯の温度がお茶の抽出最適温度になったことを、シールの温度による色の変化で分かる様にする、お茶抽出最適温度検知シールを提供する。【解決手段】急須の側面に貼るシール３であって、お茶の抽出最適温度で色の変化を示す可逆性示温塗料により変色する示温部分６、１０を設ける。また、補助的温度で色の変化を示す可逆性示温塗料により変色する示温部分４、５、７、８、９、１１、１２も設けても良い。【選択図】図２
0003214794.tif 000002
【実用新案登録請求の範囲】
【請求項１】
急須の側面に貼るシールであって、お茶の抽出最適温度で色の変化を示す可逆性示温塗料により変色する示温部分を持たせた、お茶抽出最適温度検知シール。
【請求項２】
お茶の抽出最適温度として玉露の抽出最適温度を用いた請求項１記載のお茶抽出最適温度検知シール。
【請求項３】
お茶の抽出最適温度として煎茶の抽出最適温度を用いた請求項１記載のお茶抽出最適温度検知シール。
【請求項４】
玉露の抽出最適温度として約６０度を用いた請求項２記載のお茶抽出最適温度検知シール。
【請求項５】
煎茶の抽出最適温度として約８０度を用いた請求項３記載のお茶抽出最適温度検知シール。
【請求項６】
お茶の抽出最適温度として、玉露の抽出最適温度と煎茶の抽出最適温度の２つの温度を用いた請求項１記載のお茶抽出最適温度検知シール。
【請求項７】
玉露の抽出最適温度として約６０度を、煎茶の抽出最適温度として約８０度を用いた請求項６記載のお茶抽出最適温度検知シール。
【請求項８】
お茶の抽出最適温度で色の変化を示す可逆性示温塗料の他に、いくつかの補助的温度で色の変化を示すいくつかの可逆性示温塗料も用いて、お茶の抽出最適温度だけでなく、補助的温度も示すことを特徴とする請求項１から請求項７記載のお茶抽出最適温度検知シール。
【請求項９】
補助的温度約９０度、補助的温度約８５度、煎茶の抽出最適温度約８０度、補助的温度約７５度、補助的温度約７０度、補助的温度約６５度、玉露の抽出最適温度約６０度、補助的温度約５５度、補助的温度約５０度、で色の変化を示す可逆性示温塗料により変色する示温部分を順に列べた、お茶の抽出最適温度を示すお茶抽出最適温度検知シール。
【考案の詳細な説明】
【技術分野】
【０００１】
本考案は、急須の側面に貼って利用し、可逆性示温塗料の色の変化により急須の中のお湯がお茶の抽出最適温度になっている事を示す、お茶抽出最適温度検知シールに関するものである。
【従来の技術】
【０００２】
示温塗料の色の変化により温度を示すシールは存在する。しかし、お茶の抽出最適温度を知るためのシールは存在しない。急須内のお湯の温度が、お茶の抽出最適温度になっているかを知るため、従来は、人間の経験による感覚、温度計を急須の中のお湯に入れて計る、などによっていた。
【先行技術文献】
【特許文献】
【０００３】
【特許文献１】特開２００５−３４５４５７号公報
【考案の概要】
【考案が解決しようとする課題】
【０００４】
（イ）  温度計で急須の中のお湯の温度を計る事なく、急須の中のお湯の温度がお茶の抽出最適温度になったことを知る。
（ロ）  急須の中のお湯の温度がお茶の抽出最適温度になったことを急須側面に貼ったシールの温度による色の変化で分かる様にする。
（ハ）  お茶を入れた経験があまりない人にも、おいしいお茶が入れられる様にする。
【課題を解決するための手段】
【０００５】
急須（１）の側面に貼るシール（３）であって、お茶の抽出最適温度で色の変化を示す可逆性示温塗料により変色する示温部分（６）（１０）を設ける。また、補助的温度で色の変化を示す可逆性示温塗料により変色する示温部分（４）（５）（７）（８）（９）（１１）（１２）も設けても良い。
本考案は以上の構成よりなるお茶抽出最適温度検知シールである。
【考案の効果】
【０００６】
（イ）  温度計で急須の中のお湯の温度を計る事なく、急須の中のお湯の温度がお茶の抽出最適温度になったことを知ることができる。
（ロ）  急須の中のお湯の温度がお茶の抽出最適温度になったことを急須側面に貼ったシールの温度による色の変化で分かる様になる。
（ハ）  お茶を入れた経験があまりない人にも、おいしいお茶が入れられる様になる。
【図面の簡単な説明】
【０００７】
【図１】実施例
【図２】お茶抽出最適温度検知シールの例
【考案の実施をするための形態】
【０００８】
以下、本考案の実施をするための形態について説明する。
急須（１）の側面に貼り使用する、可逆性示温塗料の色の変化により温度を検知するシール（３）である。  シール（３）には、補助的温度５０±２度で変色する示温部分（４）、補助的温度５５±２度で変色する示温部分（５）、玉露の抽出最適温度６０±２度で変色する示温部分（６）、補助的温度６５±２度で変色する示温部分（７）、補助的温度７０±２度で変色する示温部分（８）、補助的温度７５±２度で変色する示温部分（９）、煎茶の抽出最適温度８０±２度で変色する示温部分（１０）、補助的温度８５±２度で変色する示温部分（１１）、補助的温度９０±２度で変色する示温部分（１２）が列んでいる。玉露の抽出最適温度６０±２度で変色する示温部分（６）は「玉露」の文字の形をしている。煎茶の抽出最適温度８０±２度で変色する示温部分（１０）は「煎茶」の文字の形をしている。補助的温度で変色する示温部分（４）（５）（７）（８）（９）（１１）（１２）は「｜」の形をしている。
本考案は、以上のような構造である。
本考案を使用するときは、シール（３）を急須（１）の側面に貼り、急須（１）に熱湯を入れ、お湯の温度が自然と下がってくるのを待つ。シール（３）の、煎茶の抽出最適温度８０±２度で変色する部分（１０）が変色したら、煎茶を、玉露の抽出最適温度６０±２度で変色する部分（６）が変色したら、玉露を入れる。抽出時間は煎茶は２分、玉露は３分。玉露を入れるときは、熱湯と玉露の抽出最適温度の差が大きく、お湯の温度が自然に下がるのを待つには時間がかかるので、急須（１）のお湯を湯のみに注ぎ、湯のみに注いだお湯を急須（１）に戻して、冷ましても良い。  
【符号の説明】
【０００９】
１  急須
２  絵、模様、文字等    
３  シール
４  補助的温度５０±２度で変色する示温部分
５  補助的温度５５±２度で変色する示温部分
６  玉露の抽出最適温度６０±２度で変色する示温部分
７  補助的温度６５±２度で変色する示温部分
８  補助的温度７０±２度で変色する示温部分
９  補助的温度７５±２度で変色する示温部分
１０  煎茶の抽出最適温度８０±２度で変色する示温部分
１１  補助的温度８５±２度で変色する示温部分
１２  補助的温度９０±２度で変色する示温部分
【図１】
0003214794.tif 000003
【図２】
0003214794.tif 000004
【手続補正書】
【提出日】平成29年12月2日(2017.12.2)
【手続補正１】
【補正対象書類名】実用新案登録請求の範囲
【補正対象項目名】全文
【補正方法】変更
【補正の内容】
【実用新案登録請求の範囲】
【請求項１】
急須の側面に貼るシールであって、お茶の抽出最適温度で色の変化を示す可逆性示温塗料により変色する示温部分を持たせた、お茶抽出最適温度検知シール。
【請求項２】
お茶の抽出最適温度として玉露の抽出最適温度を用いた請求項１記載のお茶抽出最適温度検知シール。
【請求項３】
お茶の抽出最適温度として煎茶の抽出最適温度を用いた請求項１記載のお茶抽出最適温度検知シール。
【請求項４】
玉露の抽出最適温度として約６０度を用いた請求項２記載のお茶抽出最適温度検知シール。
【請求項５】
煎茶の抽出最適温度として約８０度を用いた請求項３記載のお茶抽出最適温度検知シール。
【請求項６】
お茶の抽出最適温度として、玉露の抽出最適温度と煎茶の抽出最適温度の２つの温度を用いた請求項１記載のお茶抽出最適温度検知シール。
【請求項７】
玉露の抽出最適温度として約６０度を、煎茶の抽出最適温度として約８０度を用いた請求項６記載のお茶抽出最適温度検知シール。
【請求項８】
お茶の抽出最適温度で色の変化を示す可逆性示温塗料の他に、いくつかの補助的温度で色の変化を示すいくつかの可逆性示温塗料も用いて、お茶の抽出最適温度だけでなく、補助的温度も示すことを特徴とする請求項１から請求項７のいつれか１項に記載のお茶抽出最適温度検知シール。
【請求項９】
補助的温度約９０度、補助的温度約８５度、煎茶の抽出最適温度約８０度、補助的温度約７５度、補助的温度約７０度、補助的温度約６５度、玉露の抽出最適温度約６０度、補助的温度約５５度、補助的温度約５０度、で色の変化を示す可逆性示温塗料により変色する示温部分を順に列べた、お茶の抽出最適温度を示すお茶抽出最適温度検知シール。